(57)【特許請求の範囲】
【請求項１】
軸受部材が挿入されるように少なくとも両端部が空洞状とされると共に、前記軸受部材に回転自在に支持される芯材と、
前記芯材に螺旋状に巻き付けられた清掃材と、
前記芯材との間で前記清掃材の端部を挟む筒状の保持材と、を備え、
前記保持材には、前記芯材の空洞状の部位に挿入されて、前記軸受部材に回転自在に支持される軸受が一体的に形成される清掃部材。
【請求項２】
前記芯材は軸方向に渡って空洞状とされ、
前記清掃材は前記芯材の両端部まで巻き付けられている請求項１に記載の清掃部材。
【請求項３】
周回又は回転すると共に、外表面に異物が付着する被清掃部材と、
前記被清掃部材の前記清掃材が接して、前記被清掃部材の周回又は回転に伴って従動回転する請求項１又は２に記載された清掃部材と、
を備えた清掃装置。
【請求項４】
像保持体と、
回転して前記像保持体の外表面を帯電させる帯電部材と、
前記帯電部材に接して、前記帯電部材の回転に伴って従動回転する請求項１又は２に記載された清掃部材と、
を備え、本体に対して交換可能に組み付けられる組立体。
【請求項５】
請求項３に記載された清掃装置と、
前記清掃装置によって清掃された被清掃部材を用いて形成された画像が転写された記録場体を搬送する搬送部材と、
を備える画像形成装置。
【請求項６】
請求項４に記載された組立体と、
前記組立体に備えられた前記帯電部材によって帯電した前記像保持体の外表面を露光して静電潜像を形成する露光部材と、
前記像保持体の外表面に形成された静電潜像をトナー画像として可視化する現像部材と、
を備える画像形成装置。
【発明の詳細な説明】
【技術分野】
【０００１】
本発明は、清掃部材、清掃装置、組立体、画像形成装置に関する。
【背景技術】
【０００２】
特許文献１には、帯電部材の回転に伴って従動回転することで帯電部材の外周面を清掃するクリーニング装置が記載されている。
【０００３】
そして、このクリーニング装置は、回転する帯電部材の軸方向に延びる支持体（芯材）と、この支持体に螺旋状に巻き付けられたクリーニング材（清掃材）とを備えている。
【先行技術文献】
【特許文献】
【０００４】
【特許文献１】特開平８−１３７２０８号公報
【発明の概要】
【発明が解決しようとする課題】
【０００５】
本発明の課題は、清掃材を芯材の端側まで巻き付けて、清掃範囲を軸方向に広げることである。
【課題を解決するための手段】
【０００６】
本発明の請求項１に係る清掃部材は、軸受部材が挿入されるように少なくとも両端部が空洞状とされると共に、前記軸受部材に回転自在に支持される芯材と、前記芯材に螺旋状に巻き付けられた清掃材と、前記芯材との間で前記清掃材の端部を挟む筒状の保持材と、を備え、前記保持材には、前記芯材の空洞状の部位に挿入されて、前記軸受部材に回転自在に支持される軸受が一体的に形成されることを特徴とする。
【０００７】
本発明の請求項２に係る清掃部材は、請求項１に記載において、前記芯材は軸方向に渡って空洞状とされ、前記清掃材は前記芯材の両端部まで巻き付けられていることを特徴とする。
【００１０】
本発明の請求項３に係る清掃装置は、周回又は回転すると共に、外表面に異物が付着する被清掃部材と、前記被清掃部材の前記清掃材が接して、前記被清掃部材の周回又は回転に伴って従動回転する請求項１又は２に記載された清掃部材と、を備えたことを特徴とする。
【００１１】
本発明の請求項４に係る組立体は、像保持体と、回転して前記像保持体の外表面を帯電させる帯電部材と、前記帯電部材に接して、前記帯電部材の回転に伴って従動回転する請求項１又は２に記載された清掃部材と、を備え、本体に対して交換可能に組み付けられることを特徴とする。
【００１２】
本発明の請求項５に係る画像形成装置は、請求項３に記載された清掃装置と、前記清掃装置によって清掃された被清掃部材を用いて形成された画像が転写された記録場体を搬送する搬送部材と、を備えることを特徴とする。
【００１３】
本発明の請求項６に係る画像形成装置は、請求項４に記載された組立体と、前記組立体に備えられた前記帯電部材によって帯電した前記像保持体の外表面を露光して静電潜像を形成する露光部材と、前記像保持体の外表面に形成された静電潜像をトナー画像として可視化する現像部材と、を備えることを特徴とする。
【発明の効果】
【００１４】
本発明の請求項１の清掃部材によれば、軸受部材が芯材の外周面を支持する場合と比して、清掃材を芯材の端側まで巻き付けて、清掃範囲を軸方向に広げることができる。
【００１５】
本発明の請求項２の清掃部材によれば、芯材は軸方向に渡って筒状とされていない場合と比して、効率よく清掃部材を製造することができる。
【００１８】
本発明の請求項３の清掃装置によれば、請求項１又は２に記載された清掃部材が採用されていない場合と比して、被清掃部材を効率良く清掃することができる。
【００１９】
本発明の請求項４の組立体によれば、請求項１又は２に記載された清掃部材が採用されていない場合と比して、像保持体に形成されるトナー画像の品質を向上させることができる。
【００２０】
本発明の請求項５の画像形成装置によれば、請求項３に記載された清掃装置が採用されてない場合と比して、出力画像の品質を向上させることができる。
【００２１】
本発明の請求項６の画像形成装置によれば、請求項４に記載された組立体が採用されてない場合と比して、出力画像の品質を向上させることができる。
【図面の簡単な説明】
【００２２】
【図１】本発明の参考形態に係る清掃部材等を示した正面図である。
【図２】本発明の参考形態に係る清掃部材等を示した断面図である。
【図３】本発明の参考形態に係る清掃部材、清掃装置及び交換カートリッジを示した正面図である。
【図４】本発明の参考形態に係る清掃部材等を示した斜視図である。
【図５】（Ａ）（Ｂ）（Ｃ）本発明の参考形態に係る清掃部材及び清掃装置を示した側面図である。
【図６】（Ａ）（Ｂ）本発明の参考形態に係る清掃部材を示した正面図である。
【図７】本発明の参考形態に係る画像形成装置を示した概略構成図である。
【図８】本発明の実施形態に係る清掃部材等を示した正面図である。
【発明を実施するための形態】
【００２３】
本発明の参考形態に係る清掃部材、清掃装置、組立体及び画像形成装置の一例を図１〜図７に従って説明する。なお図中に示す矢印ＵＰは鉛直方向上方を示す。
（全体構成）
図７に示されるように、画像形成装置１０の本体１０Ａの内部には、入力される画像データに対して画像処理を行なう画像処理部１２が設けられている。
【００２４】
この画像処理部１２は、入力された画像データをイエロー（Ｙ）、マゼンタ（Ｍ）、シアン（Ｃ）、ブラック（Ｋ）の４色の階調データに処理するようになっており、この処理された階調データを受け取って、レーザ光ＬＢによる画像露光を行う露光装置１４が本体１０Ａ内の中央に設けられている。
【００２５】
また、露光装置１４の上方には、イエロー（Ｙ）、マゼンタ（Ｍ）、シアン（Ｃ）、ブラック（Ｋ）の４つの画像形成ユニット１６Ｙ、１６Ｍ、１６Ｃ、１６Ｋが、水平方向に間隔をおいて配置されている。なお、Ｙ，Ｍ，Ｃ，Ｋを区別して説明する必要が無い場合は、Ｙ，Ｍ，Ｃ，Ｋを省略して記載することがある。
【００２６】
これらの４つの画像形成ユニット１６Ｙ、１６Ｍ、１６Ｃ、１６Ｋは、すべて同様に構成されており、予め決められた速度で回転駆動される円柱状の像保持体１８と、この像保持体１８の外周面を帯電する一次帯電用の帯電部材２０と、前述した露光装置１４の画像露光によって帯電した像保持体１８の外周面に形成された静電潜像を、予め決められた色のトナーで現像してトナー画像として可視化する現像部材２２と、像保持体１８の外周面を清掃する清掃ブレード２４とを含んで構成されている。また、帯電部材２０の下側には、円柱状の帯電部材２０と接して帯電部材２０の外周面を清掃する清掃部材６４が設けられている。
【００２７】
そして、画像形成ユニット１６を構成する被清掃部材の一例としての帯電部材２０及び清掃部材６４により、清掃装置６８が構成されており、像保持体１８、帯電部材２０及び清掃部材６４により、組立体の一例としての交換カートリッジ６６（図３参照）が構成されており、この交換カートリッジ６６は、夫々本体１０Ａに対して交換可能とされている。なお、清掃部材６４については詳細を後述する。
【００２８】
また、露光装置１４には、４つの画像形成ユニット１６Ｙ、１６Ｍ、１６Ｃ、１６Ｋに共通に構成された、図示しない４つの半導体レーザが設けられており、これらの半導体レーザからレーザ光ＬＢ−Ｙ、ＬＢ−Ｍ、ＬＢ−Ｃ、ＬＢ−Ｋが階調データに応じて出射されるようになっている。
【００２９】
なお、半導体レーザから出射されたレーザ光ＬＢ−Ｙ、ＬＢ−Ｍ、ＬＢ−Ｃ、ＬＢ−Ｋは、図示しないｆ−θレンズを介して回転多面鏡であるポリゴンミラー２６に照射され、このポリゴンミラー２６によって偏向走査されるようになっている。そして、このポリゴンミラー２６によって偏向走査されたレーザ光ＬＢ−Ｙ、ＬＢ−Ｍ、ＬＢ−Ｃ、ＬＢ−Ｋは、図示しない結像レンズ及び複数枚のミラーを介して、像保持体１８上の露光ポイントに、斜め下方から走査露光されるようになっている。
【００３０】
また、この露光装置１４は、下方から像保持体１８上に画像を走査露光するものであるため、この露光装置１４には、上方に位置する４つの画像形成ユニット１６Ｙ、１６Ｍ、１６Ｃ、１６Ｋの現像部材２２等からトナー等が落下する虞が有る。そのため、露光装置１４は、その周囲が直方体状のフレーム２８によって密閉されている。そして、フレーム２８の上部には、４本のレーザ光ＬＢ−Ｙ、ＬＢ−Ｍ、ＬＢ−Ｃ、ＬＢ−Ｋを、各画像形成ユニット１６Ｙ、１６Ｍ、１６Ｃ、１６Ｋの像保持体１８上に向けて透過させる透明なガラス製のウインドウ３０Ｙ、３０Ｍ、３０Ｃ、３０Ｋが設けられている。
【００３１】
一方、各画像形成ユニット１６Ｙ、１６Ｍ、１６Ｃ、１６Ｋの上方には、一次転写ユニット２１が設けられている。そして、この一次転写ユニット２１は、無端状の中間転写ベルト３２と、中間転写ベルト３２が巻き掛けられ、回転駆動して中間転写ベルト３２を矢印方向に周回させる駆動ロール４０と、中間転写ベルト３２が巻き掛けられ、中間転写ベルト３２に張力を付与する張力付与ロール３６と、中間転写ベルト３２の外周面を清掃する清掃ブレード３８と、中間転写ベルト３２を挟んで像保持体１８Ｙ、１８Ｍ、１８Ｃ、１８Ｋの反対側に配置される一次転写ロール３４Ｙ、３４Ｍ、３４Ｃ、３４Ｋと、を含んで構成されている。
【００３２】
そして、この４つの一次転写ロール３４Ｙ、３４Ｍ、３４Ｃ、３４Ｋによって、画像形成ユニット１６Ｙ、１６Ｍ、１６Ｃ、１６Ｋの像保持体１８上に順次形成されたイエロー（Ｙ）、マゼンタ（Ｍ）、シアン（Ｃ）、ブラック（Ｋ）の各色のトナー画像が、中間転写ベルト３２上に、多重に転写される構成となっている。
【００３３】
また、中間転写ベルト３２を挟んで駆動ロール４０の反対側には、二次転写ロール４２が設けられている。中間転写ベルト３２上に多重に転写されたイエロー（Ｙ）、マゼンタ（Ｍ）、シアン（Ｃ）、ブラック（Ｋ）の各色のトナー画像は、中間転写ベルト３２により搬送され、駆動ロール４０と二次転写ロール４２に挟まれ、用紙搬送経路５６に沿って搬送される記録媒体としてのシート部材Ｐに二次転写されるようになっている。
【００３４】
さらに、二次転写ロール４２に対してシート部材Ｐの搬送方向下流側（以下単に下流側と言う）には、シート部材Ｐに転写されたトナー画像を熱及び圧力によりシート部材Ｐに定着する定着装置４４が設けられている。
【００３５】
また、定着装置４４の下流側には、トナー画像が定着したシート部材Ｐを画像形成装置１０の本体１０Ａの上部に設けられた排出部４８に排出する排出ロール４６が設けられている。
【００３６】
一方、画像形成装置１０の本体１０Ａ内の下側には、シート部材Ｐが積載される給紙部材５０が設けられている。さらに、この給紙部材５０に積載されたシート部材Ｐを用紙搬送経路５６へ送り出す給紙ロール５２が設けられ、給紙ロール５２の下流側には、シート部材Ｐを１枚ずつ分離して搬送る分離ロール５４が設けられている。また、分離ロール５４の下流側には、搬送タイミングを合わせる位置合せロール５８が設けられている。これにより、給紙部材５０から供給されたシート部材Ｐは、予め決められたタイミングで回転する位置合せロール５８によって中間転写ベルト３２と二次転写ロール４２とが接する位置（二次転写位置）へ送り出される構成となっている。
【００３７】
さらに、排出ロール４６の隣りには、定着装置４４によって片面に画像が定着されたシート部材Ｐを、排出ロール４６によって排出部４８上にそのまま排出せずに、両面用搬送経路６２に搬送する搬送ロール６０が設けられている。これにより、両面用搬送経路６２に沿って搬送されるシート部材Ｐは、 表裏が反転された状態で、位置合せロール５８へと再度搬送され、今度は、シート部材Ｐの裏面にトナー画像が転写・定着されて排出部４８上に排出されるようになっている。
【００３８】
この構成により、以下のようにシート部材Ｐに画像が形成される。
【００３９】
先ず、画像処理部１２から露光装置１４に各色の階調データが順次出力され、この露光装置１４から階調データに応じて出射されたレーザ光ＬＢ−Ｙ、ＬＢ−Ｍ、ＬＢ−Ｃ、ＬＢ−Ｋは、帯電部材２０によって帯電した像保持体１８の外周面に走査露光され、像保持体１８の外周面に静電潜像が形成される。像保持体１８上に形成された静電潜像は、現像部材２２Ｙ、２２Ｍ、２２Ｃ、２２Ｋによって、それぞれイエロー（Ｙ）、マゼンタ（Ｍ）、シアン（Ｃ）、ブラック（Ｋ）の各色のトナー画像として可視化される。
【００４０】
さらに、各画像形成ユニット１６Ｙ、１６Ｍ、１６Ｃ、１６Ｋの上方に渡って配置された一次転写ユニット２１の一次転写ロール３４によって、像保持体１８上に形成されたイエロー（Ｙ）、マゼンタ（Ｍ）、シアン（Ｃ）、ブラック（Ｋ）の各色のトナー画像が、周回する中間転写ベルト３２上に多重に転写される。
【００４１】
また、周回する中間転写ベルト３２上に多重に転写された各色のトナー画像は、二次転写ロール４２により、給紙部材５０から給紙ロール５２、分離ロール５４、位置合せロール５８によって用紙搬送経路５６に予め定められたタイミングで搬送されたシート部材Ｐに二次転写される。
【００４２】
さらに、トナー画像が転写されたシート部材Ｐは、定着装置４４へと搬送される。シート部材Ｐに転写されたトナー画像は、定着装置４４によってシート部材Ｐに定着され、定着された後、画像形成装置１０の本体１０Ａの上部に設けられた排出部４８に排出ロール４６によって排出される。
【００４３】
さらに、シート部材Ｐの両面に画像を形成させる場合は、定着装置４４によって片面に画像が定着されたシート部材Ｐを、排出ロール４６によって排出部４８上にそのまま排出せずに、搬送方向を切り替え、搬送ロール６０を介して両面用搬送経路６２へと搬送する。そして、両面用搬送経路６２に沿ってシート部材Ｐを搬送することで、シート部材Ｐの表裏が反転され、シート部材Ｐが再度位置合せロール５８へと搬送される。今度は、シート部材Ｐの裏面にトナー画像が転写・定着され、転写・定着された後、排出部４８上に排出ロール４６によって排出される。
【００４４】
（要部構成）
次に、円柱状の帯電部材２０の外周面を清掃する清掃部材６４について説明する。
【００４５】
図１、図３に示されるように、帯電部材２０と対向して、帯電部材２０の軸方向（以下単に軸方向と言う）に延びる清掃部材６４が設けられている。そして、清掃部材６４は、軸方向に延びる円柱状の芯材７０と、芯材７０に螺旋状に巻き付けられた断面矩形状の清掃材７２とを備えている。本参考形態では、清掃材７２は、一例として弾性変形可能なウレタン樹脂の発泡材により形成されており、両面テープ（図示省略）を用いることで、芯材７０の外周面に固定されるようになっている。
【００４６】
さらに、図１、図４に示されるように、清掃材７２は、芯材７０の両端部まで巻き付けられており、清掃材７２の端部は、円筒状の保持材７８の内周面と芯材７０の外周面との間に挟まれることで、芯材７０から剥離しないようになっている。
【００４７】
また、図１、図２に示されるように、芯材７０は空洞状の一形態である芯材７０の軸方向に渡って筒状とされており、この筒状の筒部７０Ａへ円柱状の軸受部材８０が挿入されている。つまり、芯材７０の端部を挟んで、軸受部材８０と保持材７８とは対向するようになっている。そして、芯材７０の両端は、芯材７０の筒部７０Ａが軸受部材８０に支持されており、軸受部材８０は、清掃材７２が帯電部材２０の外周面に予め定められた量圧縮された状態で接触する位置に清掃部材６４を支持している。この構成により、帯電部材２０の回転に伴い清掃部材６４が従動回転するようになっている。尚、空洞状であれば、芯材７０の軸方向に渡った筒状に限られる必要はなく、空洞状の部位に挿入される軸受によって芯材７０が支持されて回転される範囲内で適宜形状や大きさ等を変更しても良い。
【００４８】
一方、図５（Ａ）に示されるように、発泡体７２の長手方向に直交する断面において、発泡体７２の両方の端部７２Ａは、中央部よりも芯材７０の径方向（以下単に、径方向と言う）に突出している（反り立っている）。
【００４９】
（作用）
図７に示されるように、画像形成ユニット１６において、回転する像保持体１８の外周面に形成されたトナー画像は、周回する中間転写ベルト３２に転写される。さらに、中間転写ベルト３２に転写されずに像保持体１８の外周面に残留したトナー等の異物は、清掃ブレード２４によって像保持体１８の外周面から除去される。
【００５０】
ここで、トナーに外添されているトナー外添剤等の異物は、トナーよりもさらに粒子径が小さいため清掃ブレード２４をすり抜けやすい。清掃ブレード２４をすり抜けたトナー外添剤等の異物は、帯電部材２０の外周面に付着する。
【００５１】
図５（Ａ）（Ｂ）に示されるように、矢印方向に回転する帯電部材２０の外周面に付着したトナー外添剤等の異物は、従動回転する清掃部材６４の清掃材７２の端部７２Ａが帯電部材２０の外周面に押されて清掃部材６４の厚さ方向（図５（Ａ）に示すＧ方向）と、幅方向（図５（Ａ）に示すＨ方向）に弾性変形（弾性圧縮）することで清掃材７２に押圧されて凝集する。そして、図５（Ｃ）に示されるように、凝集したトナー外添剤等の異物は、従動回転する清掃部材６４の清掃材７２の端部７２Ａが復元することで、この復元力より、密な状態からほぐされたり、帯電部材２０の外周面からはじかれたりする。
【００５２】
なお、図５の図面においては、発泡体７２の径方向の変形が容易に理解されるように、発泡体７２の径方向の寸法を誇張して記載している。
【００５３】
次ぎに、清掃部材６４の製造方法について説明する。
【００５４】
前述したように、清掃材７２は、芯材７０の両端部まで巻き付けられている。つまり、図６（Ａ）に示されるように、規定長さより長い芯材７０に清掃材７２を螺旋状に巻き付け、図６（Ｂ）に示されるように、分割することで、複数個の清掃部材６４が製造される。
【００５５】
以上説明したように、芯材７０を筒状として、芯材７０の筒部７０Ａが軸受部材８０で支持される構成とすることで、芯材の外周面が軸受部材で支持される構成と比して、清掃材７２が芯材７０の両端部まで螺旋状に巻き付けられる。これにより、芯材７０の端側でも帯電部材２０に外周面に付着した異物を除去することができ、清掃性能が向上する。
【００５６】
また、芯材７０の端側でも帯電部材２０に外周面に付着した異物を除去することができる。これにより、帯電部材２０の軸方向に渡って付着した異物が除去される。
【００５７】
また、芯材７０を挟んで、軸受部材８０と保持材７８とを対向するように配置することで、芯材の外周面が軸受部材で支持される構成と比して、軸方向で画像形成装置１０の小型化が可能となる。
【００５８】
また、規定長さより長い芯材７０に清掃材７２を螺旋状に巻き付け、これを分割することで、複数個の清掃部材６４を製造することで、効率良く清掃部材６４が製造される。
【００５９】
また、規定長さより長い芯材７０に清掃材７２を螺旋状に巻き付け、これを分割する分割長さを変えることで、長さ違いの清掃部材６４が製造される。
【００６０】
また、清掃部材６４の清掃材７２で帯電部材２０の外周面に付着したトナー外添剤等の異物をはじくこと（除去すること）で、像保持体１８の帯電不良が抑制される。このため、像保持体１８に形成されるトナー画像の品質が向上する。
【００６１】
また、像保持体１８に形成されるトナー画像の品質が向上することで、シート部材Ｐに形成される出力画像の品質が向上する。
【００６２】
なお、本発明を特定の参考形態について詳細に説明したが、本発明はかかる参考形態に限定されるものではなく、本発明の範囲内にて他の種々の参考形態が可能であることは当業者にとって明らかである。例えば、上記参考形態では、被清掃部材としての帯電部材２０の外周面に付着したトナー外添剤等の異物を、清掃部材６４を用いて除去したが、特に帯電部材２２に限定されることなく、例えば、像保持体、転写ベルト及び転写ロールに付着した紙粉、トナー及び外添剤や、中間転写ベルト及び中間転写ロールに付着したトナー及びトナー外添剤を、清掃部材で除去してもよい。
【００６３】
また、上記参考形態では、清掃材７２の材料として、弾性変形可能なウレタン樹脂の発泡材を採用したが、特にこれに限定されることなく、ゴム材料の発泡材、ブラシ、不織布等の他の材料であってもよい。
【００６４】
また、上記参考形態では、像保持体１８、帯電部材２０及び清掃部材６４により、交換カートリッジ６６が構成されたが、現像部材等の他の部材が、交換カートリッジ６６の構成部品として追加されてもよい。
【００６５】
次ぎに、本発明の実施形態に係る清掃部材の一例を図８に従って説明する。なお、参考形態と同一部材については、同一符号を付してその説明を省略する。
【００６６】
図８に示されるように、実施形態の清掃部材１００の芯材１０２に螺旋状に巻き付けられた清掃材１０４の端部を保持する保持材１０６には、芯材１０２の筒部１０２Ａに挿入されて、円柱状の軸受部材１１０に回転自在に支持される軸受１０８が一体的に樹脂材料（本実施形態では一例としてポリアセタール樹脂）で成形されている。
【００６７】
さらに、清掃部材１００が回転する際には、円柱状の軸受部材１１０の頂面１１０Ａと軸受１０８の底面１０８Ａが摺動するように、各部の寸法が決められている。
【００６８】
以上説明したように、軸受１０８を保持材１０６と一体的に樹脂材料で成形させることで、例えば芯材１０２が金属材料で形成され、芯材１０２と軸受部材１１０が摺動する場合と比して、軸受部材１１０との摺動性能が向上する。
【００６９】
また、円柱状の軸受部材１１０の頂面１１０Ａと軸受１０８の底面１０８Ａとを摺動させることで、芯材１０２の端面１０２Ｂが摺動する場合と比して、摺擦速度が低減する。
【００７０】
また、円柱状の軸受部材１１０の外周面と保持材１０６の内周面とを摺動させることで、参考形態のように、軸受部材の外周面と芯材の内周面とを摺動させる場合と比して、摺擦速度が低減する。
【００７１】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、保持材１０６をポリアセタール樹脂で成形したが、特にポリアセタール樹脂に限定されることは無く、要求性能や他の部品との整合等を考慮して決めれば他の樹脂材料であってもよい。
【符号の説明】
【００７２】
１０          画像形成装置
２０          帯電部材（被清掃部材）
６４          清掃部材
６６          交換カートリッジ（組立体）
６８          清掃装置
７０          芯材
７０Ａ        筒部
７２          清掃材
７８          保持材
８０          軸受部材
１００        清掃部材
１０２        芯材
１０２Ａ      筒部
１０４        清掃材
１０６        保持材
１０８        軸受
１１０        軸受部材
【図１】
0005509862.tif 000002
【図２】
0005509862.tif 000003
【図３】
0005509862.tif 000004
【図４】
0005509862.tif 000005
【図５】
0005509862.tif 000006
【図６】
0005509862.tif 000007
【図７】
0005509862.tif 000008
【図８】
0005509862.tif 000009